(57)【要約】【課題】撮影レンズの前面を開閉するバリアを有するカメラにおいて、バリアのスライド方向長さに対するガイド用の係合部の長さの割合によらず安定したスライド操作が可能でバリアの光軸方向のあおりの発生も少ないカメラを提供する。【解決手段】このカメラ１においては、前カバー２の前面に撮影レンズ前面を開閉するためにバリア５が配置されており、上記バリア５は、前カバー２に対して上下のガイド溝２ｂ，２ｃによってスライド自在に支持されている。バリアの内部には前カバー２側に突出して形成される凸状係合部５ｅが設けられている。上記凸状係合部５ｅは、前カバー２側から突出して形成される突起部２ｅの内側にて摺動自在な状態で係合している。したがって、バリア５の先端側（撮影レンズを覆う部分）に前方向へのバリアクリック力や外力が作用したとしてもバリア５が前方におあられる状態が防止される。【選択図】    図７
2004264696.tif 000002
【特許請求の範囲】
【請求項１】
撮影レンズと、該撮影レンズ前面を覆う位置と該撮影レンズ前面から退避する位置とに該撮影レンズの光軸と交差して移動するバリアとを有するカメラにおいて、
上記バリアの移動のため、上記撮影レンズの側方にある上記バリアの移動軌跡に沿う第１のバリア溝と、上記撮影レンズを挟んで上記第１のバリア溝と反対側にある上記バリアの移動軌跡に沿う第２のバリア溝とを有するカメラ本体と、
上記第１のバリア溝と係合摺動する上記バリアに設けられた第１の係合部と、
上記第２のバリア溝と係合摺動する上記バリアに設けられた第２の係合部と、
上記バリアが上記カメラの表面から浮き上がるのを防止するため、上記第１の係合部と上記第２の係合部との間に位置した上記バリアに設けられた第３の係合部と、
上記カメラ本体に設けられ、上記第３の係合部と係合摺動する第４の係合部と、
を有することを特徴とするカメラ。
【請求項２】
撮影レンズと、該撮影レンズ前面を覆う位置と該撮影レンズ前面から退避する位置とに該撮影レンズの光軸と交差して移動するバリアとを有するカメラにおいて、
上記バリアのが移動のため、上記撮影レンズの側方にある上記バリアの移動軌跡に沿う第１のバリア溝と、上記撮影レンズを挟んで上記第１のバリア溝と反対側にある上記バリアの移動軌跡に沿う第２のバリア溝とを有するカメラ本体と、
上記第１のバリア溝と係合摺動する上記バリアに設けられた第１の係合部と、
上記第２のバリア溝と係合摺動する上記バリアに設けられた第２の係合部と、
上記バリアが上記カメラの表面から浮き上がるのを防止するため、上記第１の係合部と上記第２の係合部との間に位置し、上記バリアの上記カメラの表面と対向する面である内面と対向する摺接面部を有する上記バリアに設けられた第３の係合部と、
上記カメラ本体に設けられ、上記第３の係合部の上記摺接面部と係合摺動する第４の係合部と、
を有することを特徴とするカメラ。
【請求項３】
上記摺接面部は、上記第１のバリア溝および上記第２のバリア溝と並行して形成されていることを特徴とする請求項２に記載のカメラ。
【請求項４】
上記摺接面部は、上記第１のバリア溝および上記第２のバリア溝の長さより短いことを特徴とする請求項２に記載のカメラ。
【請求項５】
撮影レンズと、該撮影レンズ前面を覆う位置と該撮影レンズ前面から退避する位置とに該撮影レンズの光軸と交差して移動するバリアとを有するカメラにおいて、
上記バリアの移動のため、上記撮影レンズの側方にある上記バリアの移動軌跡に沿う第１のバリア溝と、上記撮影レンズを挟んで上記第１のバリア溝と反対側にあるカメラに設けられた上記バリアの移動軌跡に沿う第２のバリア溝とを有するカメラ本体と、
上記第１のバリア溝と係合摺動する上記バリアに設けられた第１の係合部と、
上記第２のバリア溝と係合摺動する上記バリアに設けられた第２の係合部と、
上記バリアが上記カメラ表面から浮き上がるのを防止するため、上記第１の係合部と上記第２の係合部との間に位置し、上記バリアの上記カメラ表面と対向する面である内面に対して傾斜する摺接面部を有する上記バリアに設けられた第３の係合部と、
上記カメラ本体に設けられ、上記第３の係合部の上記摺接面部と係合摺動する第４の係合部と、
を有することを特徴とするカメラ。
【請求項６】
上記第４の係合部は、上記第１のバリア溝と上記第２のバリア溝の長さより短いことを特徴とする請求項１，２，３，５に記載のカメラ。
【請求項７】
上記第３の係合部の長さは、上記第１の係合部及び上記第２の係合部の長さより長いことを特徴とする請求項１，２，３，５に記載のカメラ。
【請求項８】
上記第１の係合部および上記第２の係合部の長さは、上記第３の係合部の長さより短いことを特徴とする請求項１，２，３，５に記載のカメラ。
【発明の詳細な説明】
【０００１】
【発明の属する技術分野】
本発明は、カメラ、特に撮影レンズ前面を開閉するバリア（レンズバリア）とカメラ本体との係合構造に関する。
【０００２】
【従来の技術】
従来のカメラにおいて、撮影レンズおよびファインダ窓等の前面を開閉するためにスライド可能なバリアがカメラ前面に配置されているカメラがあるが、そのバリアのスライド構造として、例えば、上記バリアがカメラ本体側の上下のスライド用のガイド溝（レール）に摺動自在に嵌入するスライド方向に延びるガイド係合部を有しており、撮影レンズ等の前面を覆う閉位置から上記前面を開放する退避位置にスライド移動が可能な構造のものがある。
【０００３】
さらに、上記従来のバリアには、デザイン上の規制から、あるいは、カメラ前面の外装構造の都合から上記ガイド係合部がバリアのスライド方向の長さより短くなっているものがある。
【０００４】
【発明が解決しようとする課題】
上述した従来のバリアにおいて、上記バリアのガイド係合部がバリアより短く、上記ガイド係合部で支えられない部分が撮影レンズ側に突出した形状を有しているようなバリアの場合、そのバリアの撮影レンズ側突出部分に外力、あるいは、カメラ自体の力（バリアクリック保持力）が作用してガイド溝のガタ分やガイド係合部の弾性変形により上記バリアが前後方向（光軸方向）に傾斜（あおり）する可能性がある。このあおりによりバリアの安定したスライド操作ができなかったり、カメラ外観不良となることもありうる。
【０００５】
本発明は、上述の問題点を解決するためになされたものであり、撮影レンズの前面を開閉するバリアを有するカメラにおいて、バリアのスライド方向長さに対するガイド用の係合部の長さの割合によらず安定したスライド操作が可能でバリアの光軸方向のあおりの発生も少ないカメラを提供することを目的とする。
【０００６】
【課題を解決するための手段】
本発明の請求項１に記載のカメラは、撮影レンズと、該撮影レンズ前面を覆う位置と該撮影レンズ前面から退避する位置とに該撮影レンズの光軸と交差して移動するバリアとを有するカメラにおいて、上記バリアの移動のため、上記撮影レンズの側方にある上記バリアの移動軌跡に沿う第１のバリア溝と、上記撮影レンズを挟んで上記第１のバリア溝と反対側にある上記バリアの移動軌跡に沿う第２のバリア溝とを有するカメラ本体と、上記第１のバリア溝と係合摺動する上記バリアに設けられた第１の係合部と、上記第２のバリア溝と係合摺動する上記バリアに設けられた第２の係合部と、上記バリアが上記カメラの表面から浮き上がるのを防止するため、上記第１の係合部と上記第２の係合部との間に位置した上記バリアに設けられた第３の係合部と、上記カメラ本体に設けられ、上記第３の係合部と係合摺動する第４の係合部とを有している。
【０００７】
本発明の請求項２に記載のカメラは、撮影レンズと、該撮影レンズ前面を覆う位置と該撮影レンズ前面から退避する位置とに該撮影レンズの光軸と交差して移動するバリアとを有するカメラにおいて、上記バリアのが移動のため、上記撮影レンズの側方にある上記バリアの移動軌跡に沿う第１のバリア溝と、上記撮影レンズを挟んで上記第１のバリア溝と反対側にある上記バリアの移動軌跡に沿う第２のバリア溝とを有するカメラ本体と、上記第１のバリア溝と係合摺動する上記バリアに設けられた第１の係合部と、上記第２のバリア溝と係合摺動する上記バリアに設けられた第２の係合部と、上記バリアが上記カメラの表面から浮き上がるのを防止するため、上記第１の係合部と上記第２の係合部との間に位置し、上記バリアの上記カメラの表面と対向する面である内面と対向する摺接面部を有する上記バリアに設けられた第３の係合部と、上記カメラ本体に設けられ、上記第３の係合部の上記摺接面部と係合摺動する第４の係合部とを有する。
【０００８】
本発明の請求項３記載のカメラは、請求項２に記載のカメラにおいて、上記摺接面部は、上記第１のバリア溝および上記第２のバリア溝と並行して形成されている。
【０００９】
本発明の請求項４に記載のカメラは、請求項２に記載のカメラにおいて、上記摺接面部は、上記第１のバリア溝および上記第２のバリア溝の長さより短い。
【００１０】
本発明の請求項５に記載のカメラは、撮影レンズと、該撮影レンズ前面を覆う位置と該撮影レンズ前面から退避する位置とに該撮影レンズの光軸と交差して移動するバリアとを有するカメラにおいて、上記バリアの移動のため、上記撮影レンズの側方にある上記バリアの移動軌跡に沿う第１のバリア溝と、上記撮影レンズを挟んで上記第１のバリア溝と反対側にあるカメラに設けられた上記バリアの移動軌跡に沿う第２のバリア溝とを有するカメラ本体と、上記第１のバリア溝と係合摺動する上記バリアに設けられた第１の係合部と、上記第２のバリア溝と係合摺動する上記バリアに設けられた第２の係合部と、上記バリアが上記カメラ表面から浮き上がるのを防止するため、上記第１の係合部と上記第２の係合部との間に位置し、上記バリアの上記カメラ表面と対向する面である内面に対して傾斜する摺接面部を有する上記バリアに設けられた第３の係合部と、上記カメラ本体に設けられ、上記第３の係合部の上記摺接面部と係合摺動する第４の係合部とを有する。
【００１１】
本発明の請求項６に記載のカメラは、請求項１，２，３，５に記載のカメラにおいて、上記第４の係合部は、上記第１のバリア溝と上記第２のバリア溝の長さより短い。
【００１２】
本発明の請求項７に記載のカメラは、請求項１，２，３，５に記載のカメラにおいて、上記第３の係合部の長さは、上記第１の係合部及び上記第２の係合部の長さより長い。
【００１３】
本発明の請求項８記載のカメラは、請求項１，２，３，５に記載のカメラにおいて、上記第１の係合部および上記第２の係合部の長さは、上記第３の係合部の長さより短い。
【００１４】
【発明の実施の形態】
以下、本発明の実施の形態を図に基づいて説明する。
図１〜３は、本発明の一実施形態であるカメラの外観を示す斜視図であり、図１は、バリア閉状態（非撮影状態）、図２は、バリア開閉途中の状態（非撮影状態）、図３は、バリア開状態（撮影可能状態）をそれぞれ示している。
【００１５】
なお、以下の説明において、撮影レンズ光軸Ｏに沿う前後（被写体側と結像側）方向をＺ方向とし、Ｚ方向に垂直な水平方向をＸ方向とし、Ｚ方向に垂直な上下方向をＹ方向とする。また、Ｚ方向のうち、前方（被写体側）を＋Ｚ、後方（結像側）−Ｚとする。Ｘ方向のうち、前方から見て右方を＋Ｘ、左方を−Ｘとする。Ｙ方向のうち、上方を＋Ｙとし、下方を−Ｙとする。
【００１６】
本実施形態のカメラ１は、外部カメラ本体を形成する外装体として図１等に示すように前カバー２と、中カバー３と、後カバー４を有しており、また、内部カメラ本体としてカメラ本体部２１（図７）を有している。
【００１７】
上記前カバー２には、その前面部にカメラ内部に沈胴可能なレンズ鏡筒６と、ファインダ窓８ａ，ストロボ発光窓８ｂ等と、後述するバリアスライド機構部等とが配置され、さらに、レンズ鏡筒６の左側（−Ｘ側）の上下にＸ方向に延びる第１，第２のバリア溝であるガイド溝２ｂ，２ｃが設けられる。そのガイド溝２ｂ，２ｃを介してバリア５がスライド自在に取り付けられている。
【００１８】
上記中カバー３の上面部には、レリーズスイッチ操作釦９とズーム操作釦１０が配置されている。
【００１９】
上記バリア５は、上下にＸ方向に延びる第１，第２の係合部であるガイド凸部５ｂ，５ｃを有している。上記ガイド凸部５ｂ，５ｃは、前カバー２のガイド溝２ｂ，２ｃに摺動自在に嵌入した状態でレンズ鏡筒６の側方にてその光軸Ｏに交差するＸ方向にスライド移動可能な状態で取り付けられる。
【００２０】
すなわち、上記バリア５は、上記レンズ鏡筒６の撮影レンズ７，ファインダ窓８ａ，ストロボ発光窓８ｂ等の前面を覆う閉位置Ｐ１  （図１）から半開位置Ｐ２  （図２）を経て上記レンズ鏡筒６等の前面から退避した開位置Ｐ４  （図３）をスライド移動可能である。バリア５が＋Ｘ方向の閉位置Ｐ１  にあるとき、レンズ鏡筒６は、沈胴位置に繰り込まれており、撮影不可能な状態となる（図１）。バリア５が−Ｘ方向の開位置Ｐ４  にあるとき、レンズ鏡筒６等の前面部分が開放され、レンズ鏡筒は、撮影可能な位置に繰り出された状態となる（図３）。
【００２１】
以下、上記バリア５および前カバー２によるバリア支持機構等の詳細について、図４〜８を用いて説明する。
図４は、本実施形態のカメラにおける上記前カバー，中カバー，バリアの分解斜視図である。図５は、上記前カバーの正面図である。図６は、上記バリアの背面図であって、バリアを前カバー側から見た図である。図７は、バリア装着状態での図５のＡ−Ａ断面図である。図８は、同じくバリア装着状態での図５のＢ−Ｂ断面図である。
【００２２】
上記前カバー２には、図４〜８に示すように上述した上下のガイド溝２ｂ，２ｃと、＋Ｘ側に寄った位置にレンズ鏡筒６が進退する開口部２ａとが設けられ、開口部２ａの左上部に光が透過する各窓部を有する、光透過材料からなる光透過部材である窓部材８が接着固定されている。さらに、開口部２ａの左側であって、上下のガイド溝２ｂ，２ｃの間に挟まれた領域に第４の係合部としてＬ字状の突起部２ｅと、ボール保持部２ｆ，２ｇと、その下方位置に回動操作可能なスイッチ操作部材１３が配設されている。さらに、開口部２ａの右側にバリア当接用凸部２ｄが窓部材８の右下方部にＹ方向に沿って配置されている。
【００２３】
上記窓部材８は、光を透過する部分としてファインダ窓８ａ，ストロボ発光窓８ｂ，セルフタイマ表示窓８ｃを有しており、その光透過部外の範囲は、裏面に遮光塗装が施されている。また、この窓部材８の下方の縁部には、前面側（＋Ｚ側）に盛り上がる肉盛り部である凸部８ｄ，８ｅが設けられる。この凸部８ｄ，８ｅには、後述するようにバリア５が光軸Ｏ方向における後方側に押圧されて変形したときとき、バリア５の内面側が摺接、または、当接可能な部分である。なお、凸部８ｄの肉盛り高さは、隙間形成分だけ凸部８ｅよりわずかに低くなっている。
【００２４】
上記ボール保持部２ｆ，２ｇは、前面側にスリット状切り欠き部が設けられ、内部にバリアクリック保持用ボール１１，１２が嵌入される穴部が設けられる。該ボール１１，１２は、バネ１４，１５で＋Ｚ方向に付勢された状態でボール保持部２ｆ，２ｇ内に保持される。なお、バネ１４，１５は、前カバー２にビス止めされる押さえ板１６で押さえ込まれている。
【００２５】
上記スイッチ操作部材１３は、操作突起１３ａを有しており、バリア５の移動に連動してカメラ電源をオンオフ操作するスイッチ切り換え部材である。
【００２６】
上記バリア５には、図４，６〜８に示すように前カバー２と対向する側の背面部に上下縁部にそれぞれ対向する状態で２つずつの上下ガイド凸部５ｂ，５ｃと、第３の係合部である凸状係合部５ｅと、ボール案内条部５ｆ，５ｇと、スイッチ操作用溝部５ｈがそれぞれＸ方向に沿って形成されている。バリア５には、上記ガイド凸部５ｂ，５ｃの＋Ｘ方向側の中央部にレンズ鏡筒６を覆うための凸状部が形成されてているが、その凸状部先端の背面側に前カバー２のバリア当接部２ｄと当接可能な（閉位置Ｐ１  にあるとき）先端当接面５ｉが設けられ、さらに、その先端当接面５ｉから背面部の上方に向けて延びる部分に窓部材８の凸部８ｄ，８ｅと当接摺動可能な当接摺動面５ｄが設けられている。
【００２７】
なお、上記ボール案内条部５ｆ，５ｇ上には、それぞれ−Ｘ方向端部にボール大きさに対応したロック保持用ボール嵌入用凹部５ｆ１，５ｇ１が設けられ、＋Ｘ方向端部近傍に嵌入部が長いボール嵌入用凹部５ｆ２とボール大きさに対応したロック保持用ボール嵌入用凹部５ｇ２が設けられる。
【００２８】
このバリア５は、図７示すように前カバー２の上下ガイド溝２ｂ，２ｃに上下ガイド凸部５ｂ，５ｃを嵌入させて前カバー２に取り付けられる。この取り付け状態でバリア５は、前カバー２に対してＸ方向に閉位置Ｐ１  から開位置Ｐ４  の間をスライド移動可能となる。
【００２９】
上記前カバー２への取り付け状態では、上記凸状係合部５ｅは、図７に示すように前カバー２の突起部２ｅの背面に係合可能とする。また、ボール案内条部５ｆ，５ｇは、前カバー２のボール保持部２ｆ，２ｇの切り欠き部に摺動自在に嵌入し、ボール１１，１２と接触する。バリア５が閉位置，開位置，準開位置等にあるとき、前カバー２のボール１１，１２は、ボール嵌入用凹部５ｆ１，５ｇ１やボール嵌入用凹部５ｆ２，５ｇ２に嵌り込みクリック力を発生させる。さらに、バリア５が開位置，準開位置の間をスライド移動する際にスイッチ操作用溝部５ｈによってスイッチ操作部材１３が回動駆動され、カメラの電源のオンオフ切り換えが行われる。
【００３０】
なお、上記前カバー２において、突起部２ｅのＸ方向の長さは、上下のガイド溝２ｂ，２ｃのＸ方向（スライド方向）の長さよりも短く設定されている。さらに、上記バリア５において、図６，後述する図９（Ａ）に示すように上ガイド凸部５ｂのＸ方向の長さＬ１  、および、下ガイド凸部５ｃのＸ方向の長さＬ２  は、バリア５のＸ方向の全長よりも短く、かつ、レンズ鏡筒６を覆う凸状部分の上下には、ガイド凸部が設けられていない。そして、凸状係合部５ｅのＸ方向の長さＬ３  は、上ガイド凸部５ｂのＸ方向の長さＬ１  、および、下ガイド凸部５ｃのＸ方向の長さＬ２  より長くなっている。
【００３１】
上記中カバー３には、図４〜８に示すように前面部に鏡筒開口部および窓部開口部３ａが設けられ、上面部にレリーズ操作釦９およびズーム操作釦１０が装着されている。この中カバー３は、上記前カバー２に対してビスにより固定される。
【００３２】
図７，８に示すように中カバー３内には、カメラ本体部２１が組み込まれる。そのカメラ本体部２１には、固定枠２２を介してレンズ鏡筒６が装着され、各制御要素が実装される制御用基板２３，２４、ＬＣＤ表示部２５等が組み付けられる。カメラ本体部２１が組み込まれた状態で後カバー４が後方側から装着され、中カバー３に対してビス止めされる。
【００３３】
上述した構成を有する本実施形態のカメラ１におけるバリア５の開閉動作について図９（Ａ）〜（Ｄ）、および、前記図５，７，８等を用いて説明する。
なお、図９（Ａ）〜（Ｄ）は、それぞれバリア開閉動作状態でのバリア背面の前カバーとの係合状態を図５のＣ１  ，Ｃ２  ，Ｃ３  ，Ｃ４  ，Ｃ５  断面形状をＹ方向に並べて示しており、図９（Ａ）がバリアが閉位置Ｐ１  にあるとき、図９（Ｂ）がバリアが半開位置Ｐ２  にあるとき、図９（Ｃ）がバリアが準開位置Ｐ３  にあるとき、図９（Ｄ）がバリアが開位置Ｐ４  にあるときの状態を示す。
【００３４】
まず、バリア５が図５に示す閉位置Ｐ１  にあるときは、当然ながらレンズ鏡筒６は、カメラ本体内の沈胴位置に繰り込まれている。この状態でバリア５は、図９（Ａ）に示すようにボール１１，１２が凹部５ｆ１，５ｇ１に嵌入しており、所定クリック力により上記閉位置Ｐ１  に保持されている。また、この閉位置にあるバリア５は、その先端部の背面側の先端当接面５ｉが前カバー２の開口部２ａ側方の当接面２ｄに当接可能になっていることからバリア５の先端部を−Ｚ方向に押圧したとしても変形することがない。さらに、このバリア５の閉状態では、凸状係合部５ｅは、前カバー２の突起部２ｅと係合状態にないので、バリア５を前カバー２に対してガイド凸部５ｂ，５ｃを強い力で変位させれば、合成樹脂からなるバリア５を取り外し、または、取り付け可能である。
【００３５】
次に、バリア５を−Ｘ方向にスライド操作し、半開位置Ｐ２  に到達すると、図５，図９（Ｂ）に示すようにレンズ鏡筒６の前面の一部が開放される。また、バリア５の凸状係合部５ｅが前カバー２の突起部２ｅの背面側に進入して係合状態となる。この係合状態では、凸状係合部５ｅのバリア５の前カバー２と前面（カメラ表面側）と対向する内面側の摺接面５ｅ１と前カバー２の突起部２ｅとが摺接可能である。したがって、バリアの突起部２ｅとの対向部分は、前カバー２に対して前方（＋Ｚ方向）に変位しない状態に保持される。すなわち、あおりの生じない状態で支持される。
【００３６】
さらに、バリア５が−Ｘ方向にスライド移動され、準開位置Ｐ３  に到達すると、図５，図９（Ｃ）に示すようにレンズ鏡筒６の前面は、完全に開放されるが、窓部材８の方はまだ完全に開放されない状態となる。また、バリア５の凸状係合部５ｅの前カバー２の突起部２ｅとの係合状態は、そのまま継続する。そして、ボール１１は、バリア５にクリック力を与えながら凹部５ｆ２に嵌る。この準開位置Ｐ３  と次の開位置Ｐ４  の間でスイッチ操作部材１３を介して鏡筒駆動指示スイッチ（図示せず）が切り換えられ、レンズ鏡筒６の撮影可能な位置への繰り出しが開始される。
【００３７】
続いて、図５，図９（Ｄ）に示すようにバリアが僅かに−Ｘ方向に移動されて開位置Ｐ４  に到達すると、レンズ鏡筒６の前面は、そのまま開放状態が維持され、かつ、窓部材８は、完全に開放される。レンズ鏡筒６は、撮影可能な位置に繰り出された状態にあり、撮影可能状態にセットされる。また、バリア５の凸状係合部５ｅと前カバー２の突起部２ｅとの係合状態は、そのまま継続する。そして、ボール１３が凹部５ｇ２に嵌り、所定のクリック力でバリア５が上記開位置Ｐ４  に保持される。
【００３８】
上記半開位置Ｐ２  近傍から上記準開位置Ｐ３  さらにこの開位置Ｐ４  の移動範囲にバリア５が位置している状態では、上述したように凸状係合部５ｅと前カバー２の突起部２ｅとが係合状態にある。したがって、バリア５の先端部に対してボール１１，１２による＋Ｚ方向の付勢力が作用したとしても、あるいは、使用者が不用意にバリア５の先端部に＋Ｚ方向に力を加えたとしてもバリア５の左側（＋Ｘ側）がカメラ前面（前カバー２の前面）から浮き上がることがなく、バリア５の前方へのあおりが防止され、また、バリア５の右側（−Ｘ側）端部がカメラ前面に接近することが防止される。
【００３９】
また、閉位置Ｐ１  から閉位置Ｐ４  の間の移動範囲にあるバリア５は、バリア裏面側（前カバー２との対向面）の当接摺動面部５ｄが窓部材８の凸部８ｄに対して所定の僅かな隙間状態に保持されている。したがって、バリア５に不用意に＋Ｚ方向の外力を掛けたとしても上記当接摺動面部５ｄの一部が上記凸部８ｄに当接することからバリア５の他の部分が前カバー２の表面に当接することがなく、前カバー２が保護される。また、バリア５が閉位置Ｐ４  にある時は、凸部８ｄより肉盛り量がわずかに多い凸部８ｅに対して上記当接摺動面部５ｄが当接することにより、バリア５の先端部近傍ががたつきのない状態で保持される。
【００４０】
撮影終了後にカメラ１を収納状態とする場合、バリア５を開位置Ｐ４  から準開位置Ｐ３  に移動させると、鏡筒駆動指示スイッチ（図示せず）が切り換えられて、レンズ鏡筒の沈胴位置への繰り込みが開始される。バリア５の準開位置Ｐ３  では、ボール１１による所定のクリック力がバリアに作用しており、レンズ鏡筒６の沈胴動作前にバリア５を閉じることが防止される。レンズ鏡筒６の沈胴後、バリア５を閉位置Ｐ１  にスライド位置させて、カメラを非撮影状態とする。
【００４１】
以上、説明したように本実施形態のカメラ１によれば、バリアのスライド方向全長に対して上下のガイド凸部５ｂ，５ｃの長さが短くなっているが、バリア内部に設けられる凸状係合部５ｅを前カバー２の突起部２ｅに係合するように構成されているので、バリア５の前後方向（Ｚ方向）のあおりが防止され、また、バリア５の左側端部が前カバー２の表面に極めて接近する等の状態が避けられ、安定したバリアのスライド操作が可能である。
【００４２】
なお、上記実施形態のカメラ１のバリア５は、前カバー２に設けられるＸ方向に沿った直進のガイド溝２ｂの２ｃに沿ってスライド移動するものであったが、これに限らず、上記ガイド溝が曲線状に形成され、バリアがその曲線状のガイド溝に沿ってスライド移動するような構造のカメラに対しても上述した実施形態のバリア支持構造を適用することが可能である。その場合、バリア５に設けられるＸ方向に沿った直進状の凸状係合部５ｅに代えて上記曲線状のガイド溝に対して並行する曲面形状の凸状係合部を適用する必要がある。
【００４３】
また、上記実施形態のカメラ１の前カバー２およびバリア５においては、互いに係合する突起部２ｅと凸状係合部５ｅとの係合当接面がＺ方向に垂直な平面で形成されていた（図７）。また、バリア５の裏面側の当接摺動面５ｄと当接可能な前カバー２側の窓部材８の肉盛り面８ｄ，８ｅは、平面で形成されていた（図７，８）。これに対して上記突起部２ｅと上記凸状係合部５ｅとをＺ方向に対して傾斜した面（アリ面）で形成し、また、上記肉盛り面８ｄ，８ｅを所定曲率の曲面で形成した変形例を提案できる。図１０は、上記変形例の前カバーとバリアの係合状態を示す断面図である。
【００４４】
図１０に示すように上記変形例においては、前カバー２の突起部２ｅ′の摺動面２ｅ１′、および、バリア５の凸状係合部５ｅ′の当接摺動面５ｅ１′が互いに同一方向の傾斜面（Ｙ方向にのみ傾斜する面）で形成されている。また、バリア５の当接摺動面５ｄ′が当接可能な窓部材８の肉盛り面８ｄ′，８ｅ′は、その断面が曲面で形成されている。
【００４５】
本変形例を適用したカメラによれば、前記実施形態による効果と同様の効果を奏し、特にバリアが安定した状態で保持され、かつ、バリアのスライド操作がスムーズに行える。
【００４６】
【発明の効果】
上述のように本発明によれば、バリアのスライド方向長さに対するガイド用係合部の長さの割合によらず安定したスライド操作が可能でバリアの光軸方向のあおりの発生も少ないカメラを提供することができる。
【図面の簡単な説明】
【図１】本発明の一実施形態であるカメラのバリア閉状態（非撮影状態）での外観を示す斜視図である。
【図２】上記図１のカメラのバリア開閉途中の状態（非撮影状態）での外観を示す斜視図である。
【図３】上記図１のカメラのバリア開状態（撮影可能状態）での外観を示す斜視図である。
【図４】上記図１のカメラにおける前カバー，中カバー，バリアの分解斜視図である。
【図５】上記図１のカメラの前カバーの正面図である。
【図６】上記図１のカメラのバリアの背面図であって、前カバー側から見た図である。
【図７】上記図１のカメラのバリア装着状態での上記図５のＡ−Ａ断面図である。
【図８】上記図１のカメラのバリア装着状態での上記図５のＢ−Ｂ断面図である。
【図９】上記図１のカメラにおけるバリア開閉動作状態でのバリア背面の前カバーとの係合状態を図５のＣ１  ，Ｃ２  ，Ｃ３  ，Ｃ４  ，Ｃ５  断面形状をＹ方向に並べて示した図であり、図９（Ａ）がバリアが閉位置Ｐ１  にあるとき、図９（Ｂ）がバリアが半開位置Ｐ２  にあるとき、図９（Ｃ）がバリアが準開位置Ｐ３  にあるとき、図９（Ｄ）がバリアが開位置Ｐ４  にあるときの状態を示す。
【図１０】上記図１のカメラの前カバーとバリアに対する変形例にける前カバーとバリアの係合状態を示す断面図である。
【符号の説明】
２  …前カバー（カメラ本体）
２ｂ…ガイド溝（第１のバリア溝）
２ｃ…ガイド溝（第１のバリア溝）
２ｅ，２ｅ′…突起部（第４の係合部）
５  …バリア
５ｂ…ガイド凸部（第１の係合部）
５ｃ…ガイド凸部（第２の係合部）
５ｅ，５ｅ′
…凸状係合部（第３の係合部）
５ｅ１，５ｅ１′
…摺接面部
７  …撮影レンズ
Ｌ１    …ガイド溝の長さ（第１の係合部の長さ）
Ｌ２    …ガイド溝の長さ（第２の係合部の長さ）
Ｌ３    …凸状係合部の長さ（第３の係合部の長さ）
Ｐ１    …バリア閉位置（バリアが撮影レンズを覆う位置）
Ｐ４    …バリア開位置（バリアが撮影レンズ前面から退避する位置）
【図１】
2004264696.tif 000003
【図２】
2004264696.tif 000004
【図３】
2004264696.tif 000005
【図４】
2004264696.tif 000006
【図５】
2004264696.tif 000007
【図６】
2004264696.tif 000008
【図７】
2004264696.tif 000009
【図８】
2004264696.tif 000010
【図９】
2004264696.tif 000011
【図１０】
2004264696.tif 000012